(57)【要約】【課題】室内に供給する空気によって使用者に冷風感を与えるのを抑制でき、また、ショートサーキットを抑制することのできる換気装置を提供する。【解決手段】本体１の前面と自身の背面との間に隙間を設けて配置され、給気吹出口１Ｂから出た空気を室内に吹き出す吹出口５及び室内の空気を排気吸込口１Ｃに取り入れる取込口４とを形成するパネル２と、パネル２の下側に設けられ、回転移動することで吹出口５から吹き出される空気の向きを切り替える風向可変部品３と、本体１の前面とパネル２の背面との間に形成される隙間を、給気吹出口１Ｂ側と排気吸込口１Ｃ側とに仕切り、隙間において給気吹出口１Ｂから吹き出される空気と排気吸込口１Ｃに吸い込まれる空気とが相互に流通するのを阻止する第一仕切板３１とを備えたことを特徴とする換気装置。【選択図】図２
2014145543.tif 000002
【特許請求の範囲】
【請求項１】
前面に給気吹出口及び排気吸込口が形成され、前記前面とは異なる面に給気吸込口及び排気吹出口が形成された本体と、
前記本体内に設けられ、前記給気吸込口から前記本体内に吸い込んだ空気を前記給気吹出口から吹き出す給気用送風機と、
前記本体内に設けられ、前記排気吸込口から前記本体内に吸い込んだ空気を前記給気吹出口から吹き出す排気用送風機と、
前記本体内に設けられ、前記給気吸込口から前記給気吹出口に向かって流れる空気と前記排気吸込口から前記排気吹出口に向かって流れる空気との間で熱交換させる熱交換器と、
前記本体の前面と自身の背面との間に隙間を設けて配置され、前記隙間によって前記給気吹出口から出た空気を室内に吹き出す吹出口及び室内の空気を前記排気吸込口に取り入れる取込口とを形成するパネルと、
前記パネルの下側に設けられ、回転移動することで前記吹出口から吹き出される空気の向きを切り替える風向可変部品と、
前記本体の前面と前記パネルの背面との間に形成される前記隙間を、前記給気吹出口側と前記排気吸込口側とに仕切り、前記隙間において前記給気吹出口から吹き出される空気と前記排気吸込口に吸い込まれる空気とが相互に流通するのを阻止する第一仕切板とを備えた
ことを特徴とする換気装置。
【請求項２】
前記パネルの下端は、前記本体の下端よりも上側に位置しており、
前記第一仕切板を境に前記排気吸込口側であって前記パネルの下端の下側に設けられ、前記本体の前面と自身の背面との間に隙間を設けて配置される第二仕切板を備えた
ことを特徴とする請求項１記載の換気装置。
【請求項３】
前記風向可変部品は、
鉛直方向に平行な状態となる第一の位置と、水平方向に平行な状態となる第二の位置との間で回転移動する
ことを特徴とする請求項１又は請求項２に記載の換気装置。
【請求項４】
前記第一仕切板の下端は、前記パネルの下端よりも下に延び、第一の位置にあるときの前記風向可変部品の下端と同じ又はそれよりも下の位置に配置されている
ことを特徴とする請求項３記載の換気装置。
【請求項５】
前記排気吸込口よりも前記第一仕切板から離れる位置に、前記第一仕切板と対向配置され、前記本体の前面と前記パネルの背面との間に形成される前記隙間の下部側面を覆う第三仕切板を備えた
ことを特徴とする請求項１〜請求項４のいずれか一項に記載の換気装置。
【発明の詳細な説明】
【技術分野】
【０００１】
本発明は、換気装置に関する。
【背景技術】
【０００２】
従来の換気装置として、本体内に熱交換器が搭載され、室内と室外とを連通するように本体が壁などに取り付けられる壁掛取付形の熱交換換気装置が提案されている。（たとえば、参考文献１、２参照）。特許文献１、２に記載の換気装置は、室外から吸い込んだ空気を、室内から吸い込んだ空気と熱交換させた後に、室内吹出口から室内に向かって吹き出すものである。
【先行技術文献】
【特許文献】
【０００３】
【特許文献１】実公平３−１７４２号公報（第２頁、第１図）
【特許文献２】特開２００５−２７４０９８号公報（第７頁、第８頁、図１）
【発明の概要】
【発明が解決しようとする課題】
【０００４】
しかしながら、上記特許文献１に記載の換気装置では、室外から吸い込まれ本体に形成された室内吹出口から室内へ供給される空気（ＳＡ：給気）が、室内吹出口と並べて配置された室内取込口を介して室内から本体内へ吸い込まれる空気（ＲＡ：排気）に引き込まれてショートサーキットが生じ、実換気量が減るという課題があった。
【０００５】
また、上記特許文献１、２に記載の換気装置は、室外から吸い込んだ室外空気を、室内から吸い込んだ室内空気と熱交換させた後に、室内吹出口から所定の方向に向かって吹き出すものである。このため冬季など室外空気が極端に低温である場合には、室内温度よりも低温の空気が給気として室内に供給され、その給気風が居住者に直接当たることがあり、使用者に冷風感及び不快感を生じさせるという課題があった。
そのような冷風感防止のために、ＳＡ（給気）の風向を変更する風向可変部品を取り付けることも考えられるが、風向可変部品にて向きが曲げられた風は、ＲＡ（排気）ファンの吸込風路へ移行しやすいという課題があった。
【０００６】
本発明は、上記に鑑みてなされたものであって、室内に供給する空気によって使用者に冷風感を与えるのを抑制でき、また、ショートサーキットを抑制することのできる換気装置を提供するものである。
【課題を解決するための手段】
【０００７】
本発明に係る換気装置は、前面に給気吹出口及び排気吸込口が形成され、前記前面とは異なる面に給気吸込口及び排気吹出口が形成された本体と、前記本体内に設けられ、前記給気吸込口から前記本体内に吸い込んだ空気を前記給気吹出口から吹き出す給気用送風機と、前記本体内に設けられ、前記排気吸込口から前記本体内に吸い込んだ空気を前記給気吹出口から吹き出す排気用送風機と、前記本体内に設けられ、前記給気吸込口から前記給気吹出口に向かって流れる空気と前記排気吸込口から前記排気吹出口に向かって流れる空気との間で熱交換させる熱交換器と、前記本体の前面と自身の背面との間に隙間を設けて配置され、前記隙間によって前記給気吹出口から出た空気を室内に吹き出す吹出口及び室内の空気を前記排気吸込口に取り入れる取込口とを形成するパネルと、前記パネルの下側に回転可能に設けられ、前記吹出口から吹き出される空気の向きを切り替える風向可変部品と、前記本体の前面と前記パネルの背面との間に形成される前記隙間を、前記給気吹出口側と前記排気吸込口側とに仕切り、前記隙間において前記給気吹出口から吹き出される空気と前記排気吸込口に吸い込まれる空気とが相互に流通するのを阻止する第一仕切板とを備えたものである。
【発明の効果】
【０００８】
本発明に係る換気装置は、吹出口から吹き出される空気の向きを切り替える風向可変部品を有するので、風向可変部品の回転位置を調整することで、使用者の快適性を損なう要因となる冷風感を抑制することができる。
また、第一仕切板を設けたので、吹出口から吹き出される給気が、排気用の取込口から取り込まれることで生じるショートサーキットによる実換気量の低下を抑制することができる。
【図面の簡単な説明】
【０００９】
【図１】実施の形態に係る換気装置１００の斜視図である。
【図２】実施の形態に係る換気装置１００の斜視図である。
【図３】図１のＸ−Ｘ線における概略断面図である。
【図４】図１のＹ−Ｙ線における概略断面図である。
【図５】図１のＶ−Ｖ線における概略断面図である。
【図６】図２のＷ−Ｗ線における概略断面図である。
【図７】実施の形態に係るパネル２及び風向可変部品３の背面側斜視図である。
【図８】実施の形態に係る風向可変部品３のパネル２への取付構造を説明する図である。
【図９】参考例に係る換気装置の斜視図である。
【図１０】実施の形態に係る換気装置１００の風向可変部品３の近傍の要部拡大図である。
【発明を実施するための形態】
【００１０】
以下、本発明に係る換気装置の実施の形態を、図面に基づいて説明する。なお、以下に示す図面の形態によって本発明が限定されるものではない。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１１】
実施の形態．
［換気装置１００の概略構成］
図１は、実施の形態に係る換気装置１００の斜視図である。図２は、実施の形態に係る換気装置１００の斜視図であり、風向可変部品３が水平に向いた状態を示している。
図１に示す換気装置１００は、空調対象空間（例えば、室内、ビル、倉庫など）の空気を取り込んで空調対象空間外に排出するとともに、空調対象空間外の空気を取り込んで空調対象空間に供給する第一種熱交換型の換気装置である。
なお、以下の説明においては、空調対象空間が室内である場合を例に説明する。また、換気装置１００が室内に供給する空気を「給気」と称し、換気装置１００が室内から室外へ排出する空気を「排気」と称する。また、各図においては、必要に応じて空気の流れを矢印で概念的に示している。また、本実施の形態において前後方向をいうときには、便宜上、換気装置１００から見て室内側を「前」、室外側を「後」ということとする。
【００１２】
換気装置１００は、各種機器が搭載される筐体である本体１と、本体１の前面側に設けられ換気装置１００の前面を構成するパネル２と、本体１の前面側であってパネル２の下側に取り付けられる風向可変部品３とを備える。本体１の前面とパネル２との間には、給気及び排気が流通する隙間が設けられており、この隙間によって取込口４及び吹出口５が形成されている。換気装置１００は、本体１とパネル２との間に形成された取込口４から室内の空気を吸い込み、排気として室外に排出する一方で、室外の空気を本体１とパネル２との間に形成された吹出口５から吹き出して給気として室内に供給する。吹出口５から室内に供給される給気の向きは、図１及び図２に示すように、風向可変部品３の向きに応じて変化する。
【００１３】
また、詳細は後述するが、本体１の前面とパネル２との間に形成される隙間の一部は、第一仕切板３１、第二仕切板３２、及び第三仕切板３３で覆われている。
【００１４】
［換気装置１００の各部の構成］
図３は、図１のＸ−Ｘ線における概略断面図である。図４は、図１のＹ−Ｙ線における概略断面図である。図５は、図１のＶ−Ｖ線における概略断面図である。図６は、図２のＷ−Ｗ線における概略断面図である。
以下、図１〜図６を参照して、換気装置１００の各部の構成を説明する。
【００１５】
（本体１）
本体１は、略直方体形状の外郭を有する。本体１の内部には、室外の空気を取り込んで室内に送出する給気用送風機６と、室内の空気を取り込んで室外に送出する排気用送風機７と、室外から取り込んだ空気と室内から取り込んだ空気とを熱交換させる熱交換器９とを備える。本体１の内部には、本体１の内部であって給気用送風機６及び排気用送風機７が設置された空間を前後に区分けする本体仕切板１４が設けられている。図３に示すように、熱交換器９と本体仕切板１４とは左右方向に並べて配置されており、正面視における熱交換器９の右端部に、本体仕切板１４の左端部が接している。本体仕切板１４の背面側には給気用送風機６、前面側には排気用送風機７が設けられ、本体仕切板１４の前後にそれぞれ風路が形成されていて排気と給気とが混合しないようになっている。
【００１６】
図３に示すように、本体１の背面には、室外空気を本体１内に吸い込む給気吸込口１Ａと、室内から吸い込んだ空気を排気として室外に吹き出す排気吹出口１Ｄとが形成されている。給気吸込口１Ａ及び排気吹出口１Ｄを介して、本体１の内部と室外とが連通する。
【００１７】
本体１の前面には、室外から吸い込んだ空気を給気として室内に吹き出す給気吹出口１Ｂと、室内空気を本体１内に吸い込む排気吸込口１Ｃとが形成されている。給気吹出口１Ｂ及び排気吸込口１Ｃは、本体１の前面であってパネル２の背面と対向する位置に設けられており、本体１にパネル２が取り付けられた状態で正面から見ると、給気吹出口１Ｂ及び排気吸込口１Ｃはパネル２で覆われている。排気吸込口１Ｃの開口部の周縁には、ベルマウス１Ｅが形成されており、室内から本体１内に吸い込まれる空気をベルマウス１Ｅが整流して騒音発生を抑制し、使用者の快適性が低下することを抑えている。
【００１８】
（給気用パイプ１０及び排気用パイプ１２）
本実施の形態の換気装置１００は、室内と室外とを連通する給気用開口部５１及び排気用開口部５２が形成された壁５０に取り付けられるものであり、本体１の背面には給気用開口部５１に挿入される給気用パイプ１０、及び排気用開口部５２に挿入される排気用パイプ１２が取り付けられている。給気用パイプ１０は、一端が給気吸込口１Ａに接続され、他端が室外に開放されている。排気用パイプ１２は、一端が排気吹出口１Ｄに接続され、他端が室外に開放されている。
【００１９】
室外に開放された給気用パイプ１０の他端側には、給気用パイプ１０を覆う給気用フード１１が設けられている。給気用フード１１は、壁５０の室外側の面に取り付けられており、例えば風雨が強い状況においても、給気用パイプ１０の他端側から本体１内に風雨が侵入するのを抑制している。
室外に開放された排気用パイプ１２の他端側には、排気用パイプ１２を覆う排気用フード１３が設けられている。排気用フード１３は、壁５０の室外側の面に取り付けられており、例えば風雨が強い状況においても、排気用パイプ１２の他端側から本体１内に風雨が侵入するのを抑制している。
【００２０】
（熱交換器９）
熱交換器９は、本体１内に導入された室外空気と、室内から本体１内に導入された室内空気とを熱交換させるものであり、排気の熱量を給気で回収する機能を有しているものである。熱交換器９内には、室外空気が流れる給気流路９Ａ及び室内空気が流れる排気流路９Ｂが形成されている。給気流路９Ａ及び排気流路９Ｂは、室外空気と室内空気とが熱交換できるように熱交換器９を介して接触して設けられているとともに、室外空気と室内空気とが混合しないように隔離されている。熱交換器９は、給気用送風機６及び排気用送風機７と左右に並べて配置されている。
【００２１】
熱交換器９には、給気流路９Ａの入口であって室外空気が流入する給気流入口９Ｃと、この給気流入口９Ｃから流入して給気流路９Ａを流れた空気が流出する給気流出口９Ｄとが形成されている。また、熱交換器９には、排気流路９Ｂの入口であって室内空気が流入する排気流入口９Ｅと、この排気流入口９Ｅから流入して排気流路９Ｂを流れた空気が流出する排気流出口９Ｆとが形成されている。
【００２２】
（給気用送風機６及び排気用送風機７）
給気用送風機６は、室外から吸い込んだ空気を室内に送る送風機である。また、排気用送風機７は、室内から吸い込んだ空気を室外に送る送風機である。
本実施の形態では、給気用送風機６は、給気用ファン６Ａとモーター８とにより構成され、排気用送風機７は、排気用ファン７Ａとモーター８とにより構成されており、給気用ファン６Ａ及び排気用ファン７Ａが一つのモーター８に接続されている。モーター８に設けられた給気用シャフト８Ａを介して、モーター８の回転が給気用ファン６Ａに伝達され、給気用ファン６Ａが回転する。また、モーター８に設けられた排気用シャフト８Ｂを介して、モーター８の回転が排気用ファン７Ａに伝達され、排気用ファン７Ａが回転する。本実施の形態では、給気用ファン６Ａ及び排気用ファン７Ａがシロッコファンである場合を例示している。
【００２３】
図３に示すように、給気用ファン６Ａの吸引側が給気吸込口１Ａ（本体１の背面）に対向し、給気用ファン６Ａの吐出側が熱交換器９の給気流入口９Ｃに対向するようにして、給気用送風機６が設置されている。なお、給気吸込口１Ａから吸い込んだ空気を熱交換器９の給気流入口９Ｃに導くことのできる構成であれば、給気用ファン６Ａの種別及び給気用送風機６の設置向きは図示のものに限定されず、また、給気用送風機６の風路上に給気吸込口１Ａと給気流入口９Ｃとを結ぶ任意の風路形成部材を設けてもよい。
【００２４】
また、図３に示すように、排気用ファン７Ａの吸引側が排気吸込口１Ｃ（本体１の前面）に対向し、排気用ファン７Ａの吐出側が熱交換器９の排気流入口９Ｅに対向するようにして、排気用送風機７が設置されている。なお、排気吸込口１Ｃから吸い込んだ空気を熱交換器９の排気流入口９Ｅに導くことのできる構成であれば、排気用ファン７Ａの種別及び排気用送風機７の設置向きは図示のものに限定されず、また、排気用送風機７の風路上に排気吸込口１Ｃと排気流入口９Ｅとを結ぶ任意の風路形成部材を設けてもよい。
【００２５】
モーター８は、本体仕切板１４を境にして給気が流れる風路側と排気が流れる風路側とに跨がって設置されている。モーター８の給気用シャフト８Ａは、本体仕切板１４よりも背面側、すなわち給気が流れる風路側に向かって軸が延びている。また、モーター８の排気用シャフト８Ｂは、本体仕切板１４よりも前面側、すなわち排気が流れる風路側に向かって軸が延びている。
【００２６】
モーター８が動作すると、給気用ファン６Ａが回転し、給気吸込口１Ａから室外空気が本体１内に吸い込まれる。給気吸込口１Ａから吸い込まれた室外空気は、熱交換器９の給気流入口９Ｃから給気流路９Ａ内に入って給気流出口９Ｄから出て、給気吹出口１Ｂを介して本体１から放出される。
また、モーター８が動作すると、排気用ファン７Ａが回転し、及び排気吸込口１Ｃから室内空気が本体１内に吸い込まれる。排気吸込口１Ｃから吸い込まれた室外空気は、熱交換器９の排気流入口９Ｅから排気流路９Ｂ内に入って排気流出口９Ｆから出て、排気吹出口１Ｄを介して本体１から放出される。
【００２７】
（パネル２）
パネル２は、本体１の前面との間に前後方向（奥行き方向）に隙間を介して取り付けられ、換気装置１００の前面の一部を構成する部材である。パネル２は、正面視したときの平面形状が長方形の平板部材である。パネル２は、本体１が壁５０に設置された状態において、平板面が鉛直方向に平行になるようにして本体１に取り付けられる。図１、図２に示すように、パネル２の上端部及び側端部と本体１の前面との間に形成される隙間によって、取込口４が形成されている。また、本実施の形態では、パネル２の下に設けられた第二仕切板３２の下端部と本体１の前面との間に形成される隙間も、取込口４を形成している。また、図４、図５、図６に示すように、パネル２の背面側の下端部と、本体１の前面との間に形成される隙間によって吹出口５が形成されている。
【００２８】
（風向可変部品３）
風向可変部品３は、吹出口５から吹き出される空気の方向を変化させる部材である。風向可変部品３は、正面視したときの平面形状が、たとえば略長方形形状をした平板部材であり、本体１の前面側であってパネル２の下側に取り付けられている。
【００２９】
風向可変部品３は、縦方向に回転可能な状態でパネル２に取り付けられている。風向可変部品３は、水平面に対して平行に設けられた回転軸部１７を中心に回転することで、次に述べる２つの位置に移動する。
風向可変部品３は、その平板面が鉛直方向に平行な状態となる位置（第一の位置）に移動することができる（図１及び図５参照）。
風向可変部品３は、その平板面が水平方向に平行な状態となる位置（第二の位置）に移動することができる（図２及び図６参照）。
【００３０】
風向可変部品３が第一の位置にあるときと第二の位置にあるときとで、吹出口５から室内へ吹き出される給気の向きが変化する。
風向可変部品３が鉛直方向に平行な第一の位置にあるときには、図５に示すように、回転軸部１７に対して風向可変部品３が正面側（前面側）に位置する。このとき、吹出口５から吹き出される空気は、下側に向かって室内に放出される。
風向可変部品３が水平方向に平行な第二の位置にあるときには、図６に示すように、回転軸部１７に対して風向可変部品３が下側に位置する。このとき、吹出口５から吹き出される空気は、正面側に向かって室内に放出される。
【００３１】
風向可変部品３の背面側、すなわち風向可変部品３が第一の位置にあるときに本体１の前面に対向する側には、断熱材１８が設けられている。断熱材１８が設けられているため、風向可変部品３への結露の発生が抑制され、室内に結露水が滴下して使用者の快適性を損ねてしまうことを抑制できる。
【００３２】
ここで、風向可変部品３が鉛直方向に平行な状態となる位置（第一の位置）にあるときに、室内に対面する側の面を、風向可変部品３の意匠面１９と定義する。
風向可変部品３が第一の位置にあるときには、意匠面１９はパネル２の前面と平行になるとともに、風向可変部品３の一方の端部がパネル２の下端に接触する（図１参照）。このため、パネル２の前面と風向可変部品３の意匠面１９とが同一平面上に位置し、換気装置１００の意匠性を向上させることができるようになっている。
【００３３】
なお、風向可変部品３が第一の位置にある状態において意匠面１９とパネル２の前面とが厳密に同一平面上にあることを必要とするものではない。風向可変部品３が第一の位置にあるときに風向可変部品３とパネル２との間に奥行き方向の隙間ができない程度であれば、意匠面１９がパネル２の前面よりも前側あるいは後側に位置していてもよく、そのような状態も「同一平面上」と称することとする。縦断面視においてパネル２の前面と風向可変部品３の意匠面１９とが奥行き方向に多少段違いとなっていても、風向可変部品３とパネル２との間に奥行き方向の隙間がなければ、その隙間から給気が漏れないため、給気の風向を制御することができるとともに換気装置１００の意匠性を保つことができる。
【００３４】
風向可変部品３が第二の位置にあるときには、意匠面１９は本体１の底面と平行になるとともに、風向可変部品３の他端が本体１の底部に接触する（図６参照）。このため、本体１の底面と風向可変部品３の意匠面１９とが同一平面上に位置し、換気装置１００の意匠性を向上させることができるようになっている。
【００３５】
なお、風向可変部品３が第二の位置にある状態において意匠面１９と本体１の底面とが厳密に同一平面上にあることを必要とするものではない。風向可変部品３が第二の位置にあるときに風向可変部品３の断熱材１８側の面と本体１の底面との間に高さ方向の隙間ができない程度であれば、意匠面１９が本体１の底面よりも上側あるいは下側に位置していてもよく、そのような状態も「同一平面上」と称することとする。縦断面視において本体１の底面と風向可変部品３の意匠面１９とが高さ方向に多少段違いとなっていても、風向可変部品３と本体１の底面との間に高さ方向の隙間がなければ、その隙間から給気が漏れないため、給気の風向を制御することができるとともに換気装置１００の意匠性を保つことができる。
【００３６】
（パネル２と風向可変部品３の取付構造）
ここで、図７を参照してパネル２及び風向可変部品３の取付構造の一例を説明する。図７は、実施の形態に係るパネル２及び風向可変部品３の背面側斜視図である。図７（ａ）がパネル２の背面側斜視図、図７（ｂ）が風向可変部品３の背面側斜視図である。
パネル２の背面側の上部には、本体１に接続される接続部１５が形成されている。本実施の形態では、接続部１５はパネル２の左右の端部にそれぞれ設けられた鉤状の爪部材であり、本体１の前面に形成された穴（図示せず）に挿入される。この接続部１５によってパネル２が本体１に保持される。接続部１５は、本体１との接続箇所を軸として上下方向に回転可能であり、接続部１５が回転することでパネル２が上に持ち上がる。パネル２が持ち上がると、本体１の前面側及び排気用ファン７Ａ等の本体１内部の部材の一部が露出し、使用者が容易に清掃を行えるようになっている。
【００３７】
パネル２の下端には、風向可変部品３を回転自在に保持する保持部１６が設けられている。本実施の形態では、４つの保持部１６が、パネル２の幅方向に互いに間隔をおいて配置されている。風向可変部品３の背面には、保持部１６のそれぞれに取り付けられる回転軸部１７が設けられている。
【００３８】
図８は、実施の形態に係る風向可変部品３のパネル２への取付構造を説明する図である。図８（ａ）は、パネル２及び風向可変部品３の背面図、図８（ｂ）は図８（ａ）のＳ部分の詳細図である。パネル２に設けられた保持部１６は、水平方向に突出する概ね円筒状の部材であり、保持部１６の先端には保持部１６よりも径の大きい突起部１６Ａが形成されている。一方、風向可変部品３に設けられた回転軸部１７には、保持部１６が挿入される円筒部１７Ａが形成されている。風向可変部品３をパネル２に取り付ける際には、使用者は、突起部１６Ａを円筒部１７Ａに挿し込んで押し込む。そうすると、突起部１６Ａが円筒部１７Ａ内から抜け、円筒部１７Ａ内に保持部１６が挿入される。突起部１６Ａが抜け止めの役割を果たし、保持部１６は回転軸部１７に固定される。円筒部１７Ａの内面と保持部１６の外面との間には隙間があり、保持部１６は円筒部１７Ａ内において回動可能である。
【００３９】
なお、本実施の形態では、本体１を正面視したとき、風向可変部品３の幅方向に４つの回転軸部１７が設けられた例を説明しているが、回転軸部１７の数はこれに限定されるものではない。そして、この回転軸部１７の数と同じ数の保持部１６をパネル２に設ければよい。
【００４０】
また、使用者が手動で風向可変部品３を回転させられるように構成してもよいし、例えば駆動モーターなどによって電動で風向可変部品３を回転させられるように構成してもよい。
【００４１】
（仕切板）
本体１の前面とパネル２との間に形成される隙間の一部は、第一仕切板３１、第二仕切板３２、及び第三仕切板３３で覆われている。ここで、第一仕切板３１、第二仕切板３２、及び第三仕切板３３の具体的構成の説明に先立ち、これらの部材を設けて解決しようとする技術課題を、図９を参照して説明する。図９は、参考例に係る換気装置の斜視図である。図９では、説明の都合上、本実施の形態と対応する構成については同一の符号を付している。
【００４２】
図９に示す換気装置１００は、本体１と、本体１の前面側に空気が流通する隙間を介して配置されたパネル２と、パネル２の下側に取り付けられた風向可変部品３とを備えたものである。本体１、パネル２、及び風向可変部品３の構成は、本実施の形態と同様であるが、本実施の形態とは異なり、第一仕切板３１、第二仕切板３２、及び第三仕切板３３を備えていない。本体１とパネル２との間に形成された隙間の左右一方に室内空気を排気として取り込む取込口４が形成され、他方に給気を室内に吹き出す吹出口５が形成されている。なお、図９に示す換気装置１００は３箇所に取込口４が形成されており、説明の都合上それぞれを上側取込口４Ａ、右側取込口４Ｂ、下側取込口４Ｃと区別して称する。
【００４３】
図９に示すように、風向可変部品３が水平方向に平行となる第二の位置にあるときに換気装置１００が動作すると、上側取込口４Ａ、右側取込口４Ｂ、及び下側取込口４Ｃから室内の空気が換気装置１００に吸い込まれ、吹出口５からは給気が室内へ吹き出される。各取込口４に吸い込まれる空気の流れ及び吹出口５から吹き出される空気の流れは、図９に矢印で示す通りである。
【００４４】
このような構成において、吹出口５から吹き出される空気の流れに対し、風向可変部品３の裏面（断熱材１８の表面）が壁となる。このため、吹出口５から吹き出される空気は風向可変部品３の裏面に衝突して流れる向きが曲げられ、排気用送風機７の吸込経路上の下側取込口４Ｃから本体１内に逆戻りする傾向がある。したがって、吹出口５から吹き出された空気が室内をほとんど循環しないまま下側取込口４Ｃから吸い込まれてショートサーキットが発生してしまい、実換気量が減少するという課題があった。
【００４５】
そこで、上記のような課題を背景として本実施の形態では、第一仕切板３１、第二仕切板３２、及び第三仕切板３３を設けている。図１０は、実施の形態に係る換気装置１００の風向可変部品３の近傍の要部拡大図である。図１０は、風向可変部品３が水平方向に平行な第二の位置にある状態を示している。図２及び図１０を参照して、第一仕切板３１、第二仕切板３２、及び第三仕切板３３を説明する。
【００４６】
第一仕切板３１は、本体１の前面とパネル２の背面との間に形成される隙間を、左右方向に仕切る平板状の部材である。第一仕切板３１は、本体１の前面に左右並べて配置された給気吹出口１Ｂと排気吸込口１Ｃとの間に設けられている。第一仕切板３１を境にして左右の一方に本体１の給気吹出口１Ｂ（図３参照）から吹き出された給気が流れる風路が形成され、その給気の出口が吹出口５となっている。また、第一仕切板３１を境にして左右の他方に、本体１の排気吸込口１Ｃに流入する排気が流れる風路が形成されている。第一仕切板３１の下端は、パネル２の下端よりも下側に延びており、第一の位置にあるときの風向可変部品３の下端と同じ又はそれよりも下の高さ位置に配置されている。このように、第一仕切板３１は、本体１の前面とパネル２の背面との隙間を、給気吹出口１Ｂ側と排気吸込口１Ｃ側とに仕切っており、本体１の前面とパネル２の背面との隙間において給気と排気とが互いに流通しないようになっている。なお、説明の都合上、本体１の前面とパネル２の背面との隙間によって形成される風路のうち、第一仕切板３１を境に給気吹出口１Ｂ側の風路を前面給気風路２０、第一仕切板３１を境に排気吸込口１Ｃ側の風路を前面排気風路２１と称する（図１０参照）。
【００４７】
第二仕切板３２は、パネル２の下端から下方向に向かって延びる平板状の部材であり、その平板面はパネル２の平板面と平行である。第二仕切板３２は、前面排気風路２１の下部の前面側を覆っており、パネル２の下側の前面側においては、前面排気風路２１は開放されていない。すなわち、図９に示した構成例と比較すると、本実施の形態の換気装置１００は、図９の構成例における下側取込口４Ｃに相当する部分が第二仕切板３２で閉塞されていて下側取込口４Ｃが設けられていない。なお、風向可変部品３が鉛直方向と平行な第一の位置にあるときには、風向可変部品３の内側（本体１側）に第二仕切板３２が位置する。
【００４８】
第三仕切板３３は、前面排気風路２１を挟んで第一仕切板３１と対向配置された平板状の部材である。第三仕切板３３は、排気吸込口１Ｃよりも第一仕切板３１から離れる位置に配置されている。つまり、対向配置された第一仕切板３１と第三仕切板３３との間に、排気吸込口１Ｃが配置されている。第三仕切板３３は、本体１の前面とパネル２の背面との間に形成される隙間の下部の、第一仕切板３１とは反対側の側面の一部を覆っている。第三仕切板３３の高さは、風向可変部品３が水平方向に平行な第二の位置にあるときに形成される吹出口５と同じかそれよりも高い。
【００４９】
［空気の流れの説明］
次に、本実施の形態に係る換気装置１００の空気の流れに関する作用を説明する。
給気用送風機６が動作すると、室外空気は、給気用フード１１内に配設された給気用パイプ１０内に入り、給気吸込口１Ａから本体１内に流入する。給気吸込口１Ａから本体１内に入った室外空気は、給気用送風機６に送出されて熱交換器９の給気流入口９Ｃから給気流路９Ａに入る。熱交換器９内に入った室外空気は、給気流路９Ａ内を流れる過程において、排気流路９Ｂを流れる室内空気と熱交換し、給気流出口９Ｄから熱交換器９の外へ出る。熱交換器９から出た室外空気は、本体１の給気吹出口１Ｂから本体１を出て前面給気風路２０を流れ、吹出口５から室内への給気として吹き出される。風向可変部品３が鉛直方向と平行な第一の位置にあるときには、吹出口５から鉛直方向下向きに風向が調整された空気が換気装置１００から放出される。また、風向可変部品３が水平方向と平行な第二の位置にあるときには、吹出口５から奥行き方向手前向きに風向が調整された空気が換気装置１００から放出される。
【００５０】
排気用送風機７が動作すると、室内空気は、取込口４（上側取込口４Ａ及び右側取込口４Ｂ）から前面排気風路２１内に流入し、ベルマウス１Ｅが形成された排気吸込口１Ｃから本体１内に流入する。排気吸込口１Ｃから本体１内に入った室内空気は、排気用送風機７に送出されて熱交換器９の排気流入口９Ｅから排気流路９Ｂに入る。熱交換器９内に入った室内空気は、排気流路９Ｂ内を流れる過程において、給気流路９Ａを流れる室内空気と熱交換し、排気流出口９Ｆから熱交換器９の外へ出る。熱交換器９から出た室内空気は、本体１の排気吹出口１Ｄから本体１を出て、排気用フード１３内に配設された排気用パイプ１２内に入り、排気用パイプ１２から室外へ排気として吹き出される。
【００５１】
吹出口５から吹き出される吹出空気についてさらに詳細に説明する。
まず、図１０を参照して、風向可変部品３が水平方向と平行な第二の位置にある場合を説明する。
図１０に示すように、ある１点（Ｆ点）に向かって吹き出される吹出空気Ｇを考える。図１０には、風向可変部品３の裏面又は断熱材１８の表面側に接触して跳ね返される等した風の様子を、矢印Ａ、Ｂ、Ｃ、Ｄ、Ｅにて概念的に示した。図１０に示すように、吹出空気Ｇは、点Ｆにおいて風向可変部品３に接触し、矢印Ａ〜Ｅで例示する方向に分散して流れる。風Ａは、換気装置１００の前面排気風路２１側へ向かうが、第一仕切板３１、第二仕切板３２、及び第三仕切板３３と風向可変部品３とで、前面排気風路２１の下部のうち図９の下側取込口４Ｃに相当する部分が閉塞されているため、風Ａが排気として本体１内に吸い込まれることを抑制できる。したがって、ショートサーキットの発生を抑制することができる。なお、風Ｂ、Ｃ、Ｄ、Ｅは、吹出口５から室内へと吹き出され、室内を循環することとなる。
【００５２】
図１に示すように、風向可変部品３が鉛直方向と平行な第一の位置にある場合には、下方向に向かって流れ吹出口５から吹き出される給気の方向に、風向可変部品３が配置されていない。このため、吹出口５から吹き出される空気の流れに対し、風向可変部品３が跳ね返り等の流れの障害となることはない。したがって、図１０で示した風Ａのような流れは生じず、風Ａが取込口４から吸い込まれるようなショートサーキットは生じない。
【００５３】
また、本体１の前面とパネル２との間の隙間には、第一仕切板３１が設けられており、当該隙間において排気と給気との流通が阻止されている。このため、風向可変部品３が第一の位置にある場合と第二の位置にある場合のいずれにおいても、本体１の給気吹出口１Ｂから吹き出された空気が吹出口５から吹き出される前に排気吸込口１Ｃから本体１内に流入することによるショートサーキットの発生を防ぐことができる。
【００５４】
なお、第一仕切板３１の下端位置であるが、例えば第一仕切板３１の下端が、第一の位置にあるときの風向可変部品３の下端よりも上に位置している場合、第一仕切板３１よりも下側において前面給気風路２０と前面排気風路２１との間で空気が流通してショートサーキットが発生しうる。このため、第一仕切板３１の下端は、パネル２の下端よりも下に延び、第一の位置にあるときの風向可変部品３の下端と同じ又はそれよりも下の位置に配置されるのが好ましい。そのようにすることで、ショートサーキットの発生を抑制できる。
【００５５】
［実施の形態の効果］
実施の形態に係る換気装置１００は、本体１から放出される空気が鉛直下方に吹き出されるか、水平方向に吹き出されるかを調整することが可能な風向可変部品３が設けられている。このため、換気装置１００から常に同じ方向に空気が吹き出されることによって生じる使用者の快適性の低下を、抑制することができる。また、例えばタンスなどの使用者以外の物に空気が当たり続けることで、給気に含まれる塵埃などが付着し、タンスなどが汚れてしまうことを抑制することができる。さらに、室内の気流分布が乱れて室内の一部に汚染空気が淀んでしまうことを抑制することができる。
【００５６】
また、本実施の形態に係る換気装置１００は、風向可変部品３が水平方向に吹き出されるように調整することが可能であるため、コールドドラフトによって使用者の足下が冷えてしまうということを抑制することができる。
ここで、コールドドラフトが与える冷風感について詳しく説明する。一般的に、熱交換型換気装置により給排気する際に室外から取り入れられる空気は、室内空気と熱交換をしてから室内へ給気されるため、熱交換する前よりも温度が上昇しているが、室外空気が極端に低温である場合、熱交換したとしても室内温度と比較して低い。そのため、下方に向かって吹き出すと、使用者へ直接風が当たる可能性が高く、不快感を与えやすい。
これを防止するために、風向可変部品３を水平と平行な第二の位置にして給気を水平方向に吹き出す。そうすることで、下方（床など）と比較してより暖かい室内上方の暖かい空気と混ざった後、下方へ空気が流れ、使用者の感じる寒さを低減できるというものである。このように、本実施の形態では冷風感を抑制できるのである。
【００５７】
また、本実施の形態では、本体１の前面とパネル２の背面との間に形成される隙間を、給気吹出口１Ｂ側と排気吸込口１Ｃ側とに仕切り、隙間において給気吹出口１Ｂから吹き出される空気と排気吸込口１Ｃに吸い込まれる空気とが相互に流通するのを阻止する第一仕切板３１を設けた。このため、本体１の給気吹出口１Ｂから吹き出された空気が室内を循環することなく排気吸込口１Ｃに吸い込まれるショートサーキットを抑制することができるので、室内の換気を効率よく行うことができる。換気を効率よく行うことができるため、給気用送風機６及び排気用送風機７の運転に要するエネルギーを低減する、あるいは給気用送風機６及び排気用送風機７を小型化することができる。
【００５８】
なお、第一仕切板３１、第二仕切板３２、及び第三仕切板３３は、上述した各機能を実現できるものであればよく、パネル２又は本体１と一体成形されるかあるいは別部材としてパネル２又は本体１に取り付けられるか等の具体的構成は限定されない。
【符号の説明】
【００５９】
１  本体、１Ａ  給気吸込口、１Ｂ  給気吹出口、１Ｃ  排気吸込口、１Ｄ  排気吹出口、１Ｅ  ベルマウス、２  パネル、３  風向可変部品、４  取込口、４Ａ  上側取込口、４Ｂ  右側取込口、４Ｃ  下側取込口、５  吹出口、６  給気用送風機、６Ａ  給気用ファン、７  排気用送風機、７Ａ  排気用ファン、８  モーター、８Ａ  給気用シャフト、８Ｂ  排気用シャフト、９  熱交換器、９Ａ  給気流路、９Ｂ  排気流路、９Ｃ  給気流入口、９Ｄ  給気流出口、９Ｅ  排気流入口、９Ｆ  排気流出口、１０  給気用パイプ、１１  給気用フード、１２  排気用パイプ、１３  排気用フード、１４  本体仕切板、１５  接続部、１６  保持部、１６Ａ  突起部、１７  回転軸部、１７Ａ  円筒部、１８  断熱材、１９  意匠面、２０  前面給気風路、２１  前面排気風路、３１  第一仕切板、３２  第二仕切板、３３  第三仕切板、５０  壁、５１  給気用開口部、５２  排気用開口部、１００  換気装置。
【図１】
2014145543.tif 000003
【図２】
2014145543.tif 000004
【図３】
2014145543.tif 000005
【図４】
2014145543.tif 000006
【図５】
2014145543.tif 000007
【図６】
2014145543.tif 000008
【図７】
2014145543.tif 000009
【図８】
2014145543.tif 000010
【図９】
2014145543.tif 000011
【図１０】
2014145543.tif 000012